(57)【要約】  送風機は、送風機ハウジング、ファン、モータ、および支持部材を備える。送風機ハウジングは、空気出口開口部を有する。ファンは、送風機ハウジング内部にあり、ファン軸を中心として回転するように設計される。モータは、ステータとロータとを有する。ロータは、ファン軸を中心として回転するように、ステータに回転可能に連結される。ロータとファンは、ファンがロータと共に回転するように連結される。支持部材は、モータのステータと送風機ハウジングとの間に接続され、ファン軸から略半径方向に伸びる。支持部材は、モータとファンの両方を支持する。
2013532789.tif 000002
【特許請求の範囲】
【請求項１】
空気出口開口部を有する送風機ハウジングと、
送風機ハウジング内のファンであって、ファン軸を中心として回転するように設計され、第１の組のインペラブレードと第２の組のインペラブレードとを備え、第１の組のインペラブレードは第２の組のインペラブレードから軸方向に離間されたファンと、
ステータとロータとを有するモータであって、ロータはファン軸を中心として回転するようにステータに回転可能に連結され、ロータとファンはファンがロータと共に回転するように連結されるモータと、
モータのステータと送風機ハウジングとの間で接続されファン軸から略半径方向に伸びる支持部材であって、モータとファンの両方を支持し、第１の組のインペラブレードと第２の組のインペラブレードとの間にある支持部材と
を備える送風機。
【請求項２】
ロータが、外径とファン軸の軸方向範囲に沿って伸びる軸方向長さとを含み、ロータの軸方向長さはロータの外径の約２分の１以下である、請求項１に記載の送風機。
【請求項３】
ロータの軸方向長さが、ロータの外径の約４分の１以下である、請求項２に記載の送風機。
【請求項４】
支持部材が、ファン軸の軸方向範囲を超えて軸方向に伸びない、請求項２に記載の送風機。
【請求項５】
ロータとステータとの間の荷重を伝達し、ファンと送風機ハウジングとの間の荷重を伝達する１つの軸受を備える、請求項１に記載の送風機。
【請求項６】
モータが、軸方向磁束モータを備える、請求項５に記載の送風機。
【請求項７】
支持部材が、隣接するステータから隣接する送風機ハウジングに向かって半径方向外側に伸びる壁を備える、請求項１に記載の送風機。
【請求項８】
壁がステータを囲む、請求項７に記載の送風機。
【請求項９】
支持部材が、ステータの外周のアーチ状部分から半径方向に伸びるフィン形状マウントを備える、請求項１に記載の送風機。
【請求項１０】
ファンがファン軸の軸方向範囲に沿って伸び、モータはファン軸の軸方向範囲の略軸方向中心に置かれる、請求項１に記載の送風機。
【請求項１１】
モータのロータが、磁石リングを形成するように配置された複数の磁石を備え、複数の磁石の各々は内縁と外縁とを有し、磁石の内縁が結合して全体に磁石リングの内周および内径を形成し、磁石の外縁が結合して全体に磁石リングの外周および外径を形成し、磁石リングの外径は内径の約１．２倍以下である、請求項１に記載の送風機。
【請求項１２】
空気出口開口部を有する送風機ハウジングと、
送風機ハウジング内のファンであって、ファン軸を中心として回転するように設計されたファンと、
ステータとロータとを有するモータであって、ロータはファン軸を中心として回転するようにステータに回転可能に連結され、ロータとファンはファンがロータと共に回転するように連結されるモータと、
モータのステータと送風機ハウジングとの間で接続されファン軸から略半径方向に伸びる支持部材であって、モータとファンの両方を支持する支持部材と
を備える送風機。
【請求項１３】
ロータが、外径とファン軸の軸方向範囲に沿って伸びる軸方向長さとを含み、ロータの軸方向長さはロータの外径の約２分の１以下である、請求項１２に記載の送風機。
【請求項１４】
ロータの軸方向長さが、ロータの外径の約４分の１以下である、請求項１２に記載の送風機。
【請求項１５】
支持部材が、ファン軸の軸方向範囲を超えて軸方向に伸びない、請求項１２に記載の送風機。
【請求項１６】
ロータとステータとの間の荷重を伝達し、ファンと送風機ハウジングとの間の荷重を伝達する１つの軸受を備える、請求項１２に記載の送風機。
【請求項１７】
モータが、軸方向磁束モータを備える、請求項１６に記載の送風機。
【請求項１８】
支持部材が、隣接するステータから隣接する送風機ハウジングに向かって半径方向外側に伸びる壁を備える、請求項１２に記載の送風機。
【請求項１９】
壁がステータを囲む、請求項１８に記載の送風機。
【請求項２０】
支持部材が、ステータの外周のアーチ状部分から半径方向に伸びるフィン形状マウントを備える、請求項１２に記載の送風機。
【請求項２１】
ファンがファン軸の軸方向範囲に沿って伸び、モータはファン軸の軸方向範囲の略軸方向中心に置かれる、請求項１２に記載の送風機。
【請求項２２】
モータのロータが、磁石リングを形成するように配置された複数の磁石を備え、複数の磁石の各々は内縁と外縁とを有し、磁石の内縁が結合して全体に磁石リングの内周および内径を形成し、磁石の外縁が結合して全体に磁石リングの外周および外径を形成し、磁石リングの外径は内径の約１．２倍以下である、請求項１２に記載の送風機。
【請求項２３】
空気出口開口部を有する送風機ハウジングと、
送風機ハウジング内のファンであって、ファン軸を中心として回転するように設計されたファンと、
ステータとロータとを有する軸方向磁束モータであって、ロータはファン軸を中心として回転するようにステータに回転可能に連結され、ロータとファンはファンがロータと共に回転するように連結される軸方向磁束モータと、
モータのステータを送風機ハウジングに動作可能に接続する支持構造体と
を備える送風機。
【請求項２４】
ロータとステータとの間の荷重を伝達し、ファンと送風機ハウジングとの間の荷重を伝達する１つの軸受を備える、請求項２３に記載の送風機。
【請求項２５】
ファンが、ロータに一体的に接続される、請求項２３に記載の送風機。
【請求項２６】
空気出口開口部を有する送風機ハウジングと、
送風機ハウジング内のファンであって、ファン軸を中心として回転するように設計され、ファン軸の軸方向範囲に沿って伸びるファンと、
ステータとロータとを有するモータであって、ロータはファン軸を中心として回転するようにステータに回転可能に連結され、ロータとファンはファンがロータと共に回転するように連結され、ロータは外径とファン軸の軸方向範囲に沿って伸びる軸方向長さとを含み、ロータの軸方向長さはロータの外径の約２分の１以下であるモータで、ファン軸の軸方向範囲の略軸方向中心に置かれるモータと
を備える送風機。
【発明の詳細な説明】
【技術分野】
【０００１】
本発明は、電気モータがインペラファン構造に組み込まれた空気処理装置用送風機アセンブリおよび送風機アセンブリの送風機ハウジングに関する。特に、本発明は、軸方向磁束モータのステータが送風機アセンブリの送風機ハウジング構造に組み込まれ、ロータが送風機アセンブリのインペラファン構造に組み込まれた送風機アセンブリに関する。
【背景技術】
【０００２】
例えば、炉のような空気処理装置の送風機アセンブリの典型的な構造は、電気モータによって回転されるファンと、ファンを収容する送風機ハウジングとを含む。
【０００３】
典型的な送風機ハウジングは、スクロール状外壁と、スクロール状外壁の両側に接続される１組の側壁とから成る。外壁は、送風機ハウジングの出口開口部の両側に位置決めされる両端を有する。側壁も同様に、出口開口部の両側に位置決めされる。側壁は、側壁を貫通する円形同軸孔を有し、この孔は送風機ハウジングの空気入口開口部としての役割を果たす。
【０００４】
モータは、一般的には、送風機ハウジングの側壁の１つに取り付けられる。モータのシャフトは、送風機ハウジングの入口開口部の中心軸と同軸である。これにより、モータを側壁入口開口部の１つにすぐ隣接して位置決めすることができる、あるいはいくつかの構造では、モータは側壁入口開口部を通ってモータハウジングの内部の一部に入り込む。
【０００５】
インペラファンは、送風機ハウジング内部のモータシャフトに取り付けられる。典型的なインペラファンは、モータシャフトに接続されるファンの軸方向一端または中間部に円形プレートを有する。
【発明の概要】
【発明が解決しようとする課題】
【０００６】
上述の一般的な送風機アセンブリ構造は、送風機アセンブリの効率を損なう特徴を含む。モータを送風機ハウジングの空気入口開口部の１つに隣接して、または空気入口開口部の１つに一部が入り込んで位置決めすることが空気入口開口部を通る空気の流れを制限し、そのことが送風機アセンブリの非効率の一因となる。さらに、ファンをモータシャフトに接続するインペラファンの円形プレートがインペラファンの内部を通る自由な空気の流れを制限し、そのことも送風機アセンブリの非効率の一因となる。
【課題を解決するための手段】
【０００７】
本発明の送風機アセンブリは、モータの構造をインペラファンの中間部の構造および送風機ハウジングの中間部の構造に組み込むことにより、従来の送風機アセンブリの構造に伴う不利点を克服するものである。このことで、送風機ハウジング空気入口開口部に隣接して、または送風機ハウジング空気入口開口部に入り込んで先行技術のモータを位置決めする必要がなくなり、それによりこの先行技術のモータの位置決めに伴う非効率性が解消される。さらに、ファン構造に組み込まれたモータの一部は円筒状ハブを含み、円筒状ハブはハブを貫通する中心穴を有し、ファン内部を通る空気の圧力およびファン内部を通る空気の自由な流れのバランスを保つ。
【０００８】
本発明の送風機ハウジングは、所定の長さと、ハウジングの出口開口部の両側に位置決めされた対向する第１の端部および第２の端部とを有するスクロール状外壁を備える。ハウジングはさらに、スクロール状外壁の両側に固定される１組の側壁を備える。側壁は、同軸に位置合わせされて送風機ハウジングの空気入口開口部としての役割を果たす円形孔を有する。本発明の送風機ハウジングの新規な構造は、内壁を含む。内壁は、側壁に平行であり、２つの側壁間の中央位置でハウジング外壁の内部表面に固定される。内壁は、内壁を貫通する中心孔を有し、中心孔は２つの側壁の空気入口開口部と同軸である。
【０００９】
送風機アセンブリのモータは、送風機ハウジングの内壁に取り付けられる。このことにより、先行技術の送風機ハウジングの空気入口開口部に隣接して、または先行技術の送風機ハウジングの空気入口開口部に入り込んで先行技術のモータの位置決めに伴う非効率性が解消される。軸方向長さが短い他のモータのタイプを使用することも可能であるが、好ましいモータは、円形ステータ構造が内壁を貫通する孔の位置で内壁構造に組み込まれた軸方向磁束モータである。モータのステータおよび制御システムに関係する配線は、内壁を貫通してまたは内壁に沿って送風機ハウジングの外側に通される。モータのロータは、ステータの内側で１つまたは複数の軸受によって回転するために取り付けられる中空円筒状ハブを含む。ハブは、ハブの軸方向両端に接続される１組の環状プレートを有する。環状プレートは、中央ハブから半径方向外側に内壁の両側まで伸びる。モータの磁石は、環状プレートの少なくとも１つに固定される。
【００１０】
送風機アセンブリのインペラファンは、１組の遠心ファンまたはかご形ファンから成る。これらのファンは、空気を流すために、異なる幅寸法を有してもよい。ファンは、内壁の両側に位置決めされ、ロータの円筒状ハブから半径方向に伸びる１組のプレートに接続される。
【００１１】
上述した本発明の送風機アセンブリは、送風機ハウジング側壁の空気入口開口部を通って送風機ハウジングに収容されるファンの内部へと流れる自由な空気の流れを遮るものがない。また、本発明の送風機アセンブリのサイズは、送風機ハウジングの片側から突出するモータを有する類似の先行技術の送風機アセンブリのサイズよりも小さい。このことにより、本発明の送風機アセンブリをより狭い空気処理装置のエンクロージャ内で使用することができる。これは、ハウジングの内部でハウジングの内壁にモータを位置決めすることにより達成される。軸方向磁束モータ構造を使用することで、２つの遠心ファン間で送風機ハウジングの内部を空気が自由に流れるようになる。したがって、遠心ファンの中央プレートがファンを通る空気の流れを制限することが原因で生じる先行技術の遠心ファンに伴う非効率性が解消される。
【００１２】
本発明のさらなる特徴は、本発明の送風機アセンブリの以下の詳細な説明および添付図面に示されている。
【図面の簡単な説明】
【００１３】
【図１】本発明の送風機アセンブリの片側の側面図である（反対側の側面図は図１の鏡像である）。
【図２】図１に示された送風機アセンブリを左端から見た送風機アセンブリの端面図である。
【図３】図２に示された送風機アセンブリに関して、左上の送風機アセンブリの斜視図である。
【図４】図２に示された送風機アセンブリに関して、右上の送風機アセンブリの斜視図である。
【図５】図２に示された送風機アセンブリに関して、左側の送風機アセンブリの斜視図である。
【図６】図２に示された送風機アセンブリに関して、右から見た送風機アセンブリの斜視図である。
【図７】図２に示された送風機アセンブリに関して、左下の送風機アセンブリの斜視図である。
【図８】図２に示された送風機アセンブリに関して、右下の送風機アセンブリの斜視図である。
【図９】送風機ハウジング、ファンおよびモータの一部と、内壁全体とを示す送風機アセンブリの部分断面図である。
【図１０】図９と同様の断面図であるが、図９に示される送風機ハウジングの反対側から見た断面図である。
【図１１】図９および図１０で分割して示されている送風機アセンブリの端面図である。
【図１２】本発明の送風機アセンブリの一実施形態の概略図である。
【図１３】送風機アセンブリのさらなる実施形態の概略図である。
【図１４】送風機アセンブリのさらなる実施形態の概略図である。
【図１５】送風機アセンブリのさらなる実施形態の概略図である。
【図１６】送風機アセンブリのさらなる実施形態の概略図である。
【図１７】送風機アセンブリのさらなる実施形態の概略図である。
【図１８】送風機アセンブリのさらなる実施形態の概略図である。
【図１９】送風機アセンブリのさらなる実施形態の側面図である。
【図１９ａ】図１９の線１９ａ−１９ａに沿った断面図である。
【図１９ｂ】モータ機構を示した図１９ａの部分拡大図である。
【図１９ｃ】図１９の送風機アセンブリのモータの斜視図である。
【発明を実施するための形態】
【００１４】
本発明の送風機アセンブリは、基本的には、送風機ハウジング１２と、送風機ハウジング内に収容されるファン１４と、モータ１６とから成る。
【００１５】
送風機ハウジング１２は、外壁の第１の端縁２２から反対側の外壁の第２の端縁２４に伸びるスクロール状長さを有する外壁１８を有する。図３から図８で最もよくわかるように、外壁の第１の端縁２２は、送風機ハウジングの切断部を形成する。さらに、外壁１８の第１の端縁２２と第２の端縁２４とは、送風機ハウジングの矩形出口開口部２６の両側を形成する。
【００１６】
送風機ハウジングはさらに、第１の側壁２８と第２の側壁３２とを含む。図に示されるように、２つの側壁２８、３２の周囲部分は、外壁１８の両側に接続される。さらに、第１の側壁２８および第２の側壁３２は、それぞれ直線縁部３４、３６を有する。２つの側壁の直線縁部３４、３６も同様に、送風機ハウジングの出口開口部２６の両側に位置決めされ、外壁の第１の端縁２２および第２の端縁２４と共に、出口開口部の矩形形状を形成する。さらに、側壁２８、３２のそれぞれには、側壁を貫通する円形孔３８、４２が設けられる。円形孔３８、４２は、同軸に位置合わせされて送風機ハウジング１２の空気入口開口部としての役割を果たす。
【００１７】
送風機ハウジング１２の内壁４４は、図５から図１１に示されている。内壁４４は、内壁を貫通する円形中央孔４６を有する平坦な平面壁である。内壁４４は、送風機ハウジング外壁１８の内部表面に固定され、側壁２８、３２に平行に送風機ハウジング１２の内部に位置決めされる。内壁の中央孔４６は、各々の側壁２８、３２の入口開口部３８、４２と同軸である。内壁４４を貫通する孔４６により、送風機ハウジング内部の両側における空気圧力および空気の流れのバランスを保つことができる。代替形態では、内壁４４は、中心孔４６を有するリングと差し替えることができ、リングは円周方向に離間した３本以上のスポークもしくはウェブでハウジング内部に接続される。さらに、図面では、内壁４４は、側壁２８、３２に対して送風機ハウジング１２の中心に示されている。本発明の代替形態では、内壁４４は、送風機ハウジング１２の中心を外れて、側壁２８、３２の一方もしくは他方に偏って位置決めされてもよい。最適な効率性は、内壁の概念が、係属特許出願第１１／９３５，７２６号明細書、１２／１７８，１６１号明細書、および１２／６３１，４１５号明細書に記載されているような高効率送風機ハウジングに適用された場合に得られる。上述の出願特許の全てを参照によって本明細書に引用したものとする。
【００１８】
送風機アセンブリのモータ１６は、軸方向磁束モータである。モータのステータ５２は、ハウジング内壁４４を貫通する中央孔４６の位置で内壁４４の構造に組み込まれる。内壁４４は、モータ１６のステータ５２および制御システムに関係する配線が内壁４４の内部を通るような構造にすることができる。あるいは、配線が内壁４４の外表面に走らされてもよい。ステータ巻線５４は、内壁４４から中央孔４６へと半径方向内側に伸びる。送風機アセンブリの図示されている実施形態では、ステータは３６個のスロットと１８個の巻線５４を有する。モータのロータ５６は、ハブ５８を貫通する穴６２を有する中空円筒状ハブ５８を含む。ハブ５８は、ステータ５２内側でハブ５８を回転させるためにステータ５２に軸受によって取り付けられる。１組の第１の環状部プレート６４および第２の環状プレート６６は、ハブ５８の両端から半径方向外側に向かって、ステータ５２の両側および内壁４４の両側を超えて突出する。ハブ内部の穴６２は、プレート６４、６６を貫通する中央孔を形成する。ハブ内部の穴６２およびプレート６４、６６を貫通する中央孔は全て、送風機ハウジング１２の側壁２８、３２それぞれを貫通する空気入口開口部３８、４２と同軸に位置決めされる。ロータ５６の永久磁石６８は、ステータ巻線５４の両側のプレート６４、６６の少なくとも１つの内部表面に固定される。図示されている実施形態では、ロータ５６に３０個の磁石が使用されている。送風機アセンブリの変形形態では、永久磁石はプレート６４、６６の両方に設けられてもよい。それぞれのプレート６４、６６の円形周縁７２、７４は、送風機アセンブリのファン１４に固定される。さらに、モータ１６は、送風機ハウジング内部の中心に位置決めされなくてもよく、モータ１６を支持する内壁４４を移動させることによって内部のどちらかの側に位置決めされてもよい。
【００１９】
送風機アセンブリのインペラファン１４は、第１の遠心ファンもしくはかご形ファン７６および第２の遠心ファンもしくはかご形ファン７８とから成る。２つのファン７６、７８は、基本的には、同じ構造である。図９から図１１に示されるように、第１のファン７６は第１の環状プレート６４の周縁７２に接続され、第２のファン７８は第２の環状プレート６６の周縁７４に接続される。こうすることで、２つのファン７６、７８は送風機ハウジング内壁４４の両側に位置決めされた状態でロータ５６に接続される。モータ１６が作動すると、ロータ５６はステータ５２に対して自由に回転して、送風機ハウジング内壁４４および送風機ハウジング１２に対してファン７６、７８を回転駆動する。
【００２０】
ステータハブ５８を貫通する穴６２により、ファン７６の内部とファン７８の内部との圧力のバランスを保つことができる。また、穴６２により、ファン７６の内部とファン７８の内部との間で、また内壁４４の両側の送風機ハウジング内部の両側間で空気が自由に流れることができるようになる。
【００２１】
上述したような構造の送風機アセンブリでは、送風機ハウジング側壁の入口開口部を通って送風機ハウジングに収容されるファンの内部へと流れる自由な空気の流れを遮るものがない。また、送風機アセンブリのサイズは、送風機ハウジングの片側から突出するモータを有する類似の先行技術の送風機アセンブリのサイズよりも小さい。このことにより、本発明の送風機アセンブリをより狭い空気処理装置のエンクロージャ内で使用することができる。これは、送風機ハウジングの内部でハウジングの内壁にモータを位置決めすることにより達成される。
【００２２】
図１２から図１８は、送風機アセンブリのモータ１６の制御装置８２および巻線８４または制御装置をモータと通信させる他の電子機器の可能な位置決めを示す概略図である。
【００２３】
図１２では、モータ制御装置８２は、送風機ハウジング外壁１８の外部に取り付けられている。ステータ５２の巻線８４は、ハウジング内壁４４の内部を通る。他の実施形態では、ハウジング内壁４４は、内壁４４と同じようにモータ１６を支持する中央開口部を有する円形リングと差し替えてもよい。円形リングは、リングの周囲に空間的に配置され、リングから送風機ハウジング外壁１８に向かって半径方向に伸びる複数のスポークもしくはウェブによって、送風機ハウジング外壁１８の内部に固定される。この変形形態では、巻線８４は、半径方向に伸びるスポークまたはウェブの１つを通る。内壁またはスポークもしくはウェブの１つを通る巻線８４は、ＥＭＩシールド性を有する巻線となる。
【００２４】
図１３は、送風機ハウジング内壁４４または内部スポークもしくはウェブの１つに取り付けられる制御装置８２を示す図である。この配置では、制御装置８２は、空気の流れを遮らないように、平坦形状または空気力学的形状を有するハウジング内に収容される。巻線８４は、内壁４４の内部を通ってモータ１６まで伸びる、または内壁４４の代替形態として使用されるスポークもしくはウェブの１つを通ってモータ１６まで伸びる。さらに、制御装置８２への電力接続部または信号接続部も、内壁４４または支持スポークもしくはウェブを通って送風機ハウジング１２の外部まで伸びる。
【００２５】
図１４は、送風機ハウジング１２の外部に取り付けられたモータ制御装置８２を示す図である。制御装置８２のヒートシンク８６は、冷却用空気を利用するために、送風機ハウジング１２を通って送風機ハウジングの内部まで伸びる。ステータ５２の巻線８４は、内壁４４または代替形態のスポークもしくはウェブの１つを通って直接、制御装置８２まで伸びる。巻線が送風機ハウジング１２の内部を通される場合、巻線はファン１４のブレードから保護されるように位置決めされなければならない。さらに、ある程度の巻線のＥＭＩシールド性が必要とされるであろう。制御装置８２が送風機ハウジング１２の外部に位置決めされることで、制御装置の電力ケーブルおよび信号ケーブルに容易にアクセス可能となる。
【００２６】
図１５も同様に、ヒートシンク８６が送風機ハウジング１２内に伸びている送風機ハウジング１２の外部に取り付けられた制御装置８２を示す図である。図１５の配置では、制御装置８２は、図１２に示されるようなモータ１６を支持する内壁４４の一体部分ではない。この場合も、制御装置８２が送風機ハウジング１２の外部に位置決めされることで、制御装置の電力ケーブルおよび信号ケーブルに容易にアクセス可能となる。
【００２７】
図１６は、モータが固定シャフトによって支持され、制御装置８２がモータ構造の中央ハブ８４内に取り付けられることにより中央ハブ穴６２を閉鎖する送風機の構造を示す図である。中空固定シャフト８８は、モータ制御装置８２を通ってモータ制御装置を送風機ハウジング１２の内部で支持する。シャフト８８は、シャフト８８の一端を送風機ハウジング１２に接続する円周方向に離間した３本のロッド９２と、シャフト８８の他端を送風機ハウジング１２に接続する円周方向に離間した３本のロッド９４とによって、送風機ハウジング１２に接続される。さらに、モータのステータ５２も固定シャフト８８に取り付けられる。したがって、図１６に示されている構造では、送風機ハウジング１２内に内壁４４は必要ない。制御装置８２の電力接続および信号接続は、シャフト８８の内部を通って送風機ハウジング１２の外部まで伸びる。
【００２８】
図１７は、ステータ５２の中心に位置決められた制御装置８２によって中央穴６２が遮られている別の構造を示す図である。上述の実施形態のように、ステータ５２は、内壁４４によって、または代替形態のスポークもしくはウェブによって、送風機ハウジング１２内で支持される。モータの制御装置８２の電力接続および信号接続は、内壁４４の内部または代替のスポークもしくはウェブの１つの内部を通される。
【００２９】
図１８は、モータのステータ５２が送風機ハウジング１２の片側に取り付けられ、モータのロータ５６がファン１４の片側にステータに隣接して取り付けられる構造を示す図である。モータ制御装置８２は、送風機ハウジング１２の片側のステータ５２に取り付けられる。ファン１４の一端は、ファンとステータ５２との間に位置決めされた軸受９６によって支承される。ファン１４の反対端は、中央リング９８と、リングからファンに向かって半径方向に伸びる３本のスポーク１０２とで構成される。軸受１０４は、ファンリング９８をシャフト１０６に取り付ける。シャフト１０６は、シャフト１０６をハウジングに接続する３本のロッド１０８によって送風機ハウジング１２に固定される。
【００３０】
図１９から図１９ｃは、図１から図１１の送風機アセンブリと同様の送風機アセンブリ１１０であるが、中央ブレースが内壁４４でなくフィン形状のマウント１４４である送風機アセンブリ１１０を示す図である。簡単にするために、送風機アセンブリ１１０の要素の符号は、送風機アセンブリ１１０の符号が頭に「１」を付けている以外は、図１から図１１の送風機アセンブリの対応する要素と同じ符号である。フィン形状マウント１４４は、モータ１１６および送風機ハウジング１１２を支持する。フィン形状マウントは、ステータ１５２の外周面のアーチ状部分（図１９ｃに示される）から半径方向に伸びる。マウント１４４の端部は、送風機ハウジング１１２から半径方向に伸びる。マウント端部は、モータ制御回路１８２を支持する構造である。好ましくは、マウント１４４は、モータ制御回路を囲むための取り外し可能なカバー部材１４４ａを含む。図１９ｂおよび図１９ｃを参照すると、ロータ１５６の永久磁石１６８は、磁石リングを形成するように配置される。各々の磁石１６８は、内縁１６８ａと外縁１６８ｂとを含む（図１９ｂ参照）。内縁１６８ａが結合して、全体に磁石リングの内周を形成する。外縁１６８ｂが結合して、全体に磁石リングの外周を形成する。外周の直径はＤｏで表わされ、内周の直径はＤｉで表わされている。好ましくは、外周の直径Ｄｏと内周の直径Ｄｉとの比率は、約１．２以下である。好ましくは、送風機アセンブリ１１０は、２つの空気入口開口部１３８、１４２を遮るものがない。
【００３１】
以上のことから、本発明は先行技術の送風機に勝る複数の利点を達成することが理解される。
【００３２】
本発明の範囲から逸脱せずに、本明細書内で説明例示した構造に種々の変更が加えられてもよいので、上述の説明に含まれる、または添付図面に示される全ての内容は、限定的ではなく単なる例示に過ぎないと解釈されるべきである。したがって、本発明の広さおよび範囲は、上述の例示的な実施形態のいずれによっても制限されるべきでないが、本明細書に添付されている以下の請求項およびその均等物によってのみ規定されるべきである。
【００３３】
請求項または本発明の例示的な実施形態の上述の説明において、本発明の要素を説明する際に、用語「備える」「含む」「有する」は、非制限的であり、列挙された要素以外の追加の要素がある可能性があることを意味すると理解される。さらに、識別語「第１の」「第２の」「第３の」は、限界間の相対的位置または相対的時系列を示すものと解釈されるべきではない。
【図１】
2013532789.tif 000003
【図２】
2013532789.tif 000004
【図３】
2013532789.tif 000005
【図４】
2013532789.tif 000006
【図５】
2013532789.tif 000007
【図６】
2013532789.tif 000008
【図７】
2013532789.tif 000009
【図８】
2013532789.tif 000010
【図９】
2013532789.tif 000011
【図１０】
2013532789.tif 000012
【図１１】
2013532789.tif 000013
【図１２】
2013532789.tif 000014
【図１３】
2013532789.tif 000015
【図１４】
2013532789.tif 000016
【図１５】
2013532789.tif 000017
【図１６】
2013532789.tif 000018
【図１７】
2013532789.tif 000019
【図１８】
2013532789.tif 000020
【図１９】
2013532789.tif 000021
【図１９ａ】
2013532789.tif 000022
【図１９ｂ】
2013532789.tif 000023
【図１９ｃ】
2013532789.tif 000024
【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
空気出口開口部を有する送風機ハウジングと、
送風機ハウジング内のファンであって、ファン軸を中心として回転するように設計され、第１の組のインペラブレードと第２の組のインペラブレードとを備え、第１の組のインペラブレードは第２の組のインペラブレードから軸方向に離間されたファンと、
ステータとロータとを有するモータであって、ロータはファン軸を中心として回転するようにステータに回転可能に連結され、ロータとファンはファンがロータと共に回転するように連結されるモータと、
モータのステータと送風機ハウジングとの間で接続されファン軸から略半径方向に伸びる支持部材であって、モータとファンの両方を支持し、第１の組のインペラブレードと第２の組のインペラブレードとの間にある支持部材と
を備える送風機。
【請求項２】
ロータが、外径とファン軸の軸方向範囲に沿って伸びる軸方向長さとを含み、ロータの軸方向長さはロータの外径の約２分の１以下である、請求項１に記載の送風機。
【請求項３】
ロータの軸方向長さが、ロータの外径の約４分の１以下である、請求項２に記載の送風機。
【請求項４】
支持部材が、ファン軸の軸方向範囲を超えて軸方向に伸びない、請求項２に記載の送風機。
【請求項５】
ロータとステータとの間の荷重を伝達し、ファンと送風機ハウジングとの間の荷重を伝達する１つの軸受を備える、請求項１に記載の送風機。
【請求項６】
モータが、軸方向磁束モータを備える、請求項５に記載の送風機。
【請求項７】
支持部材が、隣接するステータから隣接する送風機ハウジングに向かって半径方向外側に伸びる壁を備える、請求項１に記載の送風機。
【請求項８】
壁がステータを囲む、請求項７に記載の送風機。
【請求項９】
支持部材が、ステータの外周のアーチ状部分から半径方向に伸びるフィン形状マウントを備える、請求項１に記載の送風機。
【請求項１０】
ファンがファン軸の軸方向範囲に沿って伸び、モータはファン軸の軸方向範囲の略軸方向中心に置かれる、請求項１に記載の送風機。
【請求項１１】
モータのロータが、磁石リングを形成するように配置された複数の磁石を備え、複数の磁石の各々は内縁と外縁とを有し、磁石の内縁が結合して全体に磁石リングの内周および内径を形成し、磁石の外縁が結合して全体に磁石リングの外周および外径を形成し、磁石リングの外径は内径の約１．２倍以下である、請求項１に記載の送風機。
【請求項１２】
空気出口開口部を有する送風機ハウジングと、
送風機ハウジング内のファンであって、ファン軸を中心として回転するように設計されたファンと、
ステータとロータとを有するモータであって、ロータはファン軸を中心として回転するようにステータに回転可能に連結され、ロータとファンはファンがロータと共に回転するように連結されるモータと、
モータのステータと送風機ハウジングとの間で接続されファン軸から略半径方向に伸びる支持部材であって、モータとファンの両方を支持する支持部材と
を備える送風機。
【請求項１３】
ロータが、外径とファン軸の軸方向範囲に沿って伸びる軸方向長さとを含み、ロータの軸方向長さはロータの外径の約２分の１以下である、請求項１２に記載の送風機。
【請求項１４】
ロータの軸方向長さが、ロータの外径の約４分の１以下である、請求項１２に記載の送風機。
【請求項１５】
支持部材が、ファン軸の軸方向範囲を超えて軸方向に伸びない、請求項１２に記載の送風機。
【請求項１６】
ロータとステータとの間の荷重を伝達し、ファンと送風機ハウジングとの間の荷重を伝達する１つの軸受を備える、請求項１２に記載の送風機。
【請求項１７】
モータが、軸方向磁束モータを備える、請求項１２に記載の送風機。
【請求項１８】
支持部材が、隣接するステータから隣接する送風機ハウジングに向かって半径方向外側に伸びる壁を備える、請求項１２に記載の送風機。
【請求項１９】
壁がステータを囲む、請求項１８に記載の送風機。
【請求項２０】
支持部材が、ステータの外周のアーチ状部分から半径方向に伸びるフィン形状マウントを備える、請求項１８に記載の送風機。
【請求項２１】
ファンがファン軸の軸方向範囲に沿って伸び、モータはファン軸の軸方向範囲の略軸方向中心に置かれる、請求項１２に記載の送風機。
【請求項２２】
モータのロータが、磁石リングを形成するように配置された複数の磁石を備え、複数の磁石の各々は内縁と外縁とを有し、磁石の内縁が結合して全体に磁石リングの内周および内径を形成し、磁石の外縁が結合して全体に磁石リングの外周および外径を形成し、磁石リングの外径は内径の約１．２倍以下である、請求項１２に記載の送風機。
【国際調査報告】
2013532789.tif 000025